(57)【要約】【課題】電話等の音が鳴った場合でもそれに気づくことができるようにする。【解決手段】雑音検出回路１２により、集音マイク１１からの信号に含まれる雑音成分の位相と振幅とが、Ｄ／Ａ変換回路３の音声信号との差分をとることで検出されてメモリ１３に記憶され、逆位相発生回路１４により、記憶された雑音成分の信号に対し逆位相の信号が発生され、混合器１５により、逆位相の信号と音声信号とが混合されるようにし、スピーカ５からの再生音に対する周囲の騒音による影響を低減し、雑音レベル表示器１７により、雑音成分の信号の振幅に応じた雑音レベルが表示されるようにすることで、クーラーの音、雨の音、子供の声、工事中の音、車の音、飛行機の爆音等のように、比較的周期性を持たない騒音と、電話及びインターホンの呼び出し音や非常ベル等の音のように周期性を持つ騒音との種別を識別させる。【選択図】  図１
2006215232.tif 000002
【特許請求の範囲】
【請求項１】
少なくとも音声信号を再生する再生機器のスピーカからの再生音に対する周囲の騒音による影響を低減する騒音低減装置であって、
周囲の音を取り込み、その音を電気信号に変換する集音手段と、
前記集音手段からの信号に含まれる雑音成分の位相と振幅とを、前記再生機器の音声再生に関わる回路からの音声信号との差分をとることで検出する雑音検出手段と、
前記雑音検出手段によって検出された雑音成分の信号が記憶される記憶手段と、
前記記憶手段に記憶された雑音成分の信号に対し逆位相の信号を発生する逆位相発生手段と、
前記逆位相発生手段からの逆位相の信号と前記再生機器の音声再生に関わる回路からの音声信号とを混合する混合手段と、
前記記憶手段に記憶されている雑音成分の信号の振幅に応じた雑音レベルを表示する雑音レベル表示手段とを備える
ことを特徴とする騒音低減装置。
【請求項２】
少なくとも音声信号を再生する再生機器のスピーカからの再生音に対する周囲の騒音による影響を低減する騒音低減装置であって、
周囲の音を取り込み、その音を電気信号に変換する集音手段と、
前記集音手段からの信号に含まれる雑音成分の位相と振幅とを、前記再生機器の音声再生に関わる回路からの音声信号との差分をとることで検出する雑音検出手段と、
前記雑音検出手段によって検出された雑音成分の信号が記憶される記憶手段と、
前記記憶手段に記憶された雑音成分の信号に対し逆位相の信号を発生する逆位相発生手段と、
前記逆位相発生手段からの逆位相の信号を増幅して出力する出力手段と、
前記記憶手段に記憶されている雑音成分の信号の振幅に応じた雑音レベルを表示する雑音レベル表示手段とを備える
ことを特徴とする騒音低減装置。
【請求項３】
前記雑音レベル表示手段は、少なくとも前記雑音レベルの周期性を表示するものであることを特徴とする請求項１又は２に記載の騒音低減装置。
【請求項４】
少なくとも音声信号を再生する再生機器のスピーカからの再生音に対する周囲の騒音による影響を低減する騒音低減方法であって、
周囲の音を取り込み、その音を電気信号に変換する集音工程と、
前記変換された信号に含まれる雑音成分の位相と振幅とを、前記再生機器の音声再生に関わる回路からの音声信号との差分をとることで検出する雑音検出工程と、
前記検出された雑音成分の信号が記憶される記憶工程と、
前記記憶された雑音成分の信号に対し逆位相の信号を発生する逆位相発生工程と、
前記逆位相の信号と前記再生機器の音声再生に関わる回路からの音声信号とを混合する混合工程と、
前記記憶されている雑音成分の信号の振幅に応じた雑音レベルを表示する雑音レベル表示工程とを有する
ことを特徴とする騒音低減方法。
【請求項５】
少なくとも音声信号を再生する再生機器のスピーカからの再生音に対する周囲の騒音による影響を低減する騒音低減方法であって、
周囲の音を取り込み、その音を電気信号に変換する集音工程と、
前記変換された信号に含まれる雑音成分の位相と振幅とを、前記再生機器の音声再生に関わる回路からの音声信号との差分をとることで検出する雑音検出工程と、
前記検出された雑音成分の信号が記憶される記憶工程と、
前記記憶された雑音成分の信号に対し逆位相の信号を発生する逆位相発生工程と、
前記逆位相の信号を増幅して出力する出力工程と、
前記記憶されている雑音成分の信号の振幅に応じた雑音レベルを表示する雑音レベル表示工程とを有する
ことを特徴とする騒音低減方法。
【請求項６】
前記雑音レベルを表示する際、少なくともその雑音レベルの周期性が表示されることを特徴とする請求項４又は５に記載の騒音低減方法。
【発明の詳細な説明】
【技術分野】
【０００１】
本発明は、テレビジョン装置やＣＤプレーヤ等のオーディオ／ビデオ再生機器での再生音を阻害する要因となる騒音を低減する騒音低減装置及び騒音低減方法に関する。
【背景技術】
【０００２】
従来より、テレビジョン装置やＣＤプレーヤ等のオーディオ／ビデオ再生機器での再生音を聞くとき、周囲の騒音である、たとえばクーラーの音、雨の音、子供の声、工事中の音、車の音、飛行機の爆音等が生じると、その騒音によって再生音がマスクされ聞き取りにくいことがある。
【０００３】
その場合、周囲の騒音に対応して音量を上げることになるが、騒音が同時に聞こえてしまうため、耳障りである。しかも、騒音の状況が変化し、たとえば急に騒音が無くなる場合は、再生音が大き過ぎるため、音量を下げる等の操作を行わなければならず、周囲の騒音に対応して常に音量の調整を行うことが煩わしいものとなっていた。
【０００４】
このような騒音に対する対策として、特許文献１では、騒音を検出する第１の機械電気変換器と、所定位置において打ち消すための音波を放射する電気機械変換器と、電気機械変換器から放射される音波との干渉状態を検出する第２の機械電気変換器と、第１、第２の機械電気変換器からのアナログ信号をディジタル信号に変換すると共に、ディジタル出力をアナログ信号に変換し電気機械変換器に出力する入出力インターフェースと、第１の機械電気変換器の出力信号と第１のディジタルフィルタの出力信号とを取り込んで両者の差を求める演算器と、その演算結果を入力とするアダプティブディジタルフィルタ及び第２のディジタルフィルタと、第２の機械電気変換器の出力信号と第２のディジタルフィルタの演算結果とに基づいてアダプティブディジタルフィルタの係数をディジタル演算処理し、第２の機械電気変換器の出力信号が小さくなるようにアダプティブフィルタの伝達関数を決定する制御アルゴリズムとを備えた能動騒音制御装置を提案している。
【０００５】
この能動騒音制御装置では、第２の機械電気変換器の出力信号を所定の値と比較し、所定の値より小さいことを判定する判定手段により、アダプティブフィルタの伝達関数を決定する制御アルゴリズムの動作を一時停止することで、音波としての外乱による制御系の乱れがあっても第２の機械電気変換器の出力信号を所定の値と比較し、所定の値より小さいことを判定することにより、アダプティブフィルタの伝達関数を決定する制御アルゴリズムの動作を一時停止することで、長期的に安定した騒音制御が行えるようになっている。
【０００６】
また、特許文献２では、マイクと、音声回路部が出力した音声信号を音調整部で位相反転し増幅したテレビの音声信号と、マイクの出力信号とを加算合成する合成部と、合成部の出力を選択するスイッチと、合成部の出力の位相を反転する位相反転部と、位相反転部の出力を増幅する増幅部と、スピーカと、合成部の出力信号から直流を生成する直流生成部と、直流値との差分を計算する演算部と、タイマと、現在の差分と１周期以前の差分との比較を行い差分の状態を判定する差分判定部と、直流値と現在の差分と１周期前の差分とを記憶するメモリと、増幅部の増幅度を制御する増幅制御部と、スイッチが合成部の出力を選択するための切替信号を生成するレベル比較部と、各部を制御する制御部とを備え、取り出した騒音波形と逆位相で同じ大きさの波形を生成して合成し、騒音を抑制するようにしたテレビ受信機を提案している。
【特許文献１】特開平６−３２４６８８号公報
【特許文献２】特開平８−２３４９１号公報
【発明の開示】
【発明が解決しようとする課題】
【０００７】
ところで、上述した特許文献１では、第２の機械電気変換器の出力信号と第２のディジタルフィルタの演算結果とに基づいて、アダプティブディジタルフィルタの係数をディジタル演算処理し、第２の機械電気変換器の出力信号が小さくなるようにアダプティブフィルタの伝達関数を決定することで、騒音の抑制を行っている。
【０００８】
ところが、このような技術を、上述したテレビジョン装置やＣＤプレーヤ等のオーディオ／ビデオ再生機器での再生音を聞くときの周囲の騒音を抑制するものに適用しようとすると、電話及びインターホンの呼び出し音や非常ベル等の音が全て騒音として低減されてしまうため、これらの音が鳴ってもそれに気づくことができないおそれがある。
【０００９】
また、上述した特許文献２では、取り出した騒音波形と逆位相で同じ大きさの波形を生成して合成することにより、騒音を抑制することが可能となるが、上記同様に、電話及びインターホンの呼び出し音や非常ベル等の音が全て騒音として低減されてしまうため、これらの音が鳴ってもそれに気づくことができないおそれがある。
【００１０】
解決しようとする問題点は、周囲の音が全て騒音として低減されてしまうことにより、電話及びインターホンの呼び出し音や非常ベル等の音が鳴ってもそれに気づくことができないおそれがあるという点である。
【課題を解決するための手段】
【００１１】
本発明の騒音低減装置は、少なくとも音声信号を再生する再生機器のスピーカからの再生音に対する周囲の騒音による影響を低減する騒音低減装置であって、周囲の音を取り込み、その音を電気信号に変換する集音手段と、前記集音手段からの信号に含まれる雑音成分の位相と振幅とを、前記再生機器の音声再生に関わる回路からの音声信号との差分をとることで検出する雑音検出手段と、前記雑音検出手段によって検出された雑音成分の信号が記憶される記憶手段と、前記記憶手段に記憶された雑音成分の信号に対し逆位相の信号を発生する逆位相発生手段と、前記逆位相発生手段からの逆位相の信号と前記再生機器の音声再生に関わる回路からの音声信号とを混合する混合手段と、前記記憶手段に記憶されている雑音成分の信号の振幅に応じた雑音レベルを表示する雑音レベル表示手段とを備えることを特徴とする。
このような構成では、雑音検出手段により、集音手段からの信号に含まれる雑音成分の位相と振幅とが、再生機器の音声再生に関わる回路からの音声信号との差分をとることで検出されると、その検出された雑音成分の信号が記憶手段に記憶され、逆位相発生手段により、記憶手段に記憶された雑音成分の信号に対し逆位相の信号が発生され、混合手段により、逆位相発生手段からの逆位相の信号と再生機器の音声再生に関わる回路からの音声信号とが混合される。
これにより、少なくとも音声信号を再生する再生機器のスピーカからの再生音に対する周囲の騒音による影響が低減される。 
その際、雑音レベル表示手段により、記憶手段に記憶されている雑音成分の信号の振幅に応じた雑音レベルが表示されることで、騒音の種別を識別できる。
本発明の騒音低減装置は、少なくとも音声信号を再生する再生機器のスピーカからの再生音に対する周囲の騒音による影響を低減する騒音低減装置であって、周囲の音を取り込み、その音を電気信号に変換する集音手段と、前記集音手段からの信号に含まれる雑音成分の位相と振幅とを、前記再生機器の音声再生に関わる回路からの音声信号との差分をとることで検出する雑音検出手段と、前記雑音検出手段によって検出された雑音成分の信号が記憶される記憶手段と、前記記憶手段に記憶された雑音成分の信号に対し逆位相の信号を発生する逆位相発生手段と、前記逆位相発生手段からの逆位相の信号を増幅して出力する出力手段と、前記記憶手段に記憶されている雑音成分の信号の振幅に応じた雑音レベルを表示する雑音レベル表示手段とを備えることを特徴とする。
このような構成では、雑音検出手段により、集音手段からの信号に含まれる雑音成分の位相と振幅とが、再生機器の音声再生に関わる回路からの音声信号との差分をとることで検出されると、その検出された雑音成分の信号が記憶手段に記憶され、逆位相発生手段により、記憶手段に記憶された雑音成分の信号に対し逆位相の信号が発生され、出力手段により、逆位相発生手段からの逆位相の信号が増幅されて出力される。
これにより、上記同様に、少なくとも音声信号を再生する再生機器のスピーカからの再生音に対する周囲の騒音による影響が低減される。
その際、雑音レベル表示手段により、記憶手段に記憶されている雑音成分の信号の振幅に応じた雑音レベルが表示されることで、上記同様に、騒音の種別を識別できる。
また、前記雑音レベル表示手段は、少なくとも前記雑音レベルの周期性を表示するものであるようにすることができる。 
このような構成では、雑音レベル表示手段により、雑音レベルの周期性が表示されるため、たとえばクーラーの音、雨の音、子供の声、工事中の音、車の音、飛行機の爆音等のように、比較的周期性を持たない騒音と、たとえば電話及びインターホンの呼び出し音や非常ベル等の音のように周期性を持つ騒音との種別を識別することができる。
本発明の騒音低減方法は、少なくとも音声信号を再生する再生機器のスピーカからの再生音に対する周囲の騒音による影響を低減する騒音低減方法であって、周囲の音を取り込み、その音を電気信号に変換する集音工程と、前記変換された信号に含まれる雑音成分の位相と振幅とを、前記再生機器の音声再生に関わる回路からの音声信号との差分をとることで検出する雑音検出工程と、前記検出された雑音成分の信号が記憶される記憶工程と、前記記憶された雑音成分の信号に対し逆位相の信号を発生する逆位相発生工程と、前記逆位相の信号と前記再生機器の音声再生に関わる回路からの音声信号とを混合する混合工程と、前記記憶されている雑音成分の信号の振幅に応じた雑音レベルを表示する雑音レベル表示工程とを有することを特徴とする。
このような構成では、周囲の音を取り込み、その音が電気信号に変換された信号に含まれる雑音成分の位相と振幅とが、再生機器の音声再生に関わる回路からの音声信号との差分をとることで検出されると、その検出された雑音成分の信号が記憶され、その記憶された雑音成分の信号に対し逆位相の信号が発生され、逆位相の信号と再生機器の音声再生に関わる回路からの音声信号とが混合される。
これにより、上記同様に、少なくとも音声信号を再生する再生機器のスピーカからの再生音に対する周囲の騒音による影響が低減される。
その際、上記同様に、記憶されている雑音成分の信号の振幅に応じた雑音レベルが表示されることで、騒音の種別を識別できる。 
本発明の騒音低減方法は、少なくとも音声信号を再生する再生機器のスピーカからの再生音に対する周囲の騒音による影響を低減する騒音低減方法であって、周囲の音を取り込み、その音を電気信号に変換する集音工程と、前記変換された信号に含まれる雑音成分の位相と振幅とを、前記再生機器の音声再生に関わる回路からの音声信号との差分をとることで検出する雑音検出工程と、前記検出された雑音成分の信号が記憶される記憶工程と、前記記憶された雑音成分の信号に対し逆位相の信号を発生する逆位相発生工程と、前記逆位相の信号を増幅して出力する出力工程と、前記記憶されている雑音成分の信号の振幅に応じた雑音レベルを表示する雑音レベル表示工程とを有することを特徴とする。
このような構成では、周囲の音を取り込み、その音が電気信号に変換された信号に含まれる雑音成分の位相と振幅とが、再生機器の音声再生に関わる回路からの音声信号との差分をとることで検出されると、その検出された雑音成分の信号が記憶され、その記憶された雑音成分の信号に対し逆位相の信号が発生され、その逆位相の信号が増幅されて出力される。
これにより、上記同様に、少なくとも音声信号を再生する再生機器のスピーカからの再生音に対する周囲の騒音による影響が低減される。
その際、記憶されている雑音成分の信号の振幅に応じた雑音レベルが表示されることで、上記同様に、騒音の種別を識別できる。 
また、前記雑音レベルを表示する際、少なくともその雑音レベルの周期性が表示されるようにすることができる。 
このような構成では、雑音レベルの周期性が表示されるため、上記同様に、たとえばクーラーの音、雨の音、子供の声、工事中の音、車の音、飛行機の爆音等のように、比較的周期性を持たない騒音と、たとえば電話及びインターホンの呼び出し音や非常ベル等の音のように周期性を持つ騒音との種別を識別することができる。
【発明の効果】
【００１２】
本発明の騒音低減装置及び騒音低減方法によれば、雑音検出手段により、集音手段からの信号に含まれる雑音成分の位相と振幅とが、再生機器の音声再生に関わる回路からの音声信号との差分をとることで検出されると、その検出された雑音成分の信号が記憶手段に記憶され、逆位相発生手段により、記憶手段に記憶された雑音成分の信号に対し逆位相の信号が発生され、混合手段により、逆位相発生手段からの逆位相の信号と再生機器の音声再生に関わる回路からの音声信号とが混合されることで、少なくとも音声信号を再生する再生機器のスピーカからの再生音に対する周囲の騒音による影響を低減することができ、さらには、雑音レベル表示手段により、記憶手段に記憶されている雑音成分の信号の振幅に応じた雑音レベルが表示されることで、騒音の種別を識別でき、たとえば電話及びインターホンの呼び出し音や非常ベル等の音が鳴った場合でもそれに気づくことができる。
【発明を実施するための最良の形態】
【００１３】
本実施形態では、雑音検出手段により、集音手段からの信号に含まれる雑音成分の位相と振幅とが、再生機器の音声再生に関わる回路からの音声信号との差分をとることで検出されると、その検出された雑音成分の信号が記憶手段に記憶され、逆位相発生手段により、記憶手段に記憶された雑音成分の信号に対し逆位相の信号が発生され、混合手段により、逆位相発生手段からの逆位相の信号と再生機器の音声再生に関わる回路からの音声信号とが混合されることで、少なくとも音声信号を再生する再生機器のスピーカからの再生音に対する周囲の騒音による影響を低減するようにし、さらには、雑音レベル表示手段により、記憶手段に記憶されている雑音成分の信号の振幅に応じた雑音レベルが表示されることで、騒音の種別を識別できるようにし、たとえば電話及びインターホンの呼び出し音や非常ベル等の音が鳴った場合でもそれに気づくことができるようにした。
【実施例】
【００１４】
以下、本発明の実施の形態について説明する。 
【００１５】
図１は、本発明の騒音低減装置をＣＤプレーヤに適用した場合の一実施形態を示すブロック図、図２は、図１の雑音レベル指示器の一例を示す図、図３は、図１の騒音低減装置における騒音低減方法を説明するためのフローチャート、図４〜図８は、図１の騒音低減装置における騒音低減方法を説明するための波形図、図９は、図１の騒音低減装置の構成を変えた場合の他の実施形態を示すブロック図である。
【００１６】
図１に示すＣＤ（コンパクトディスク）プレーヤは、光ピックアップ１、再生回路２、Ｄ／Ａ変換回路３、オーディオアンプ４、スピーカ５、騒音低減装置１０を備えている。
【００１７】
光ピックアップ１は、ＣＤ（コンパクトディスク）６に記録されている信号を読み取る。再生回路２は、光ピックアップ１によって読み出された信号に対し、デコード処理等を施しデジタルの音声信号を得る。
【００１８】
音声再生に関わる回路であるＤ／Ａ変換回路３は、再生回路２からのデジタルの音声信号をアナログの音声信号に変換する。オーディオアンプ４は、後述の混合器１５からの音声信号を増幅する。スピーカ５は、オーディオアンプ４によって増幅された音声信号を出力する。
【００１９】
騒音低減装置１０は、集音マイク１１、雑音検出回路１２、メモリ１３、逆位相発生回路１４、混合器１５、雑音レベル表示駆動回路１６、雑音レベル表示器１７、制御部１８を備えている。
【００２０】
集音手段としての集音マイク１１は、周囲の音を取り込み、その音を電気信号に変換する。雑音検出手段としての雑音検出回路１２は、集音マイク１１からの信号に含まれる雑音成分の位相と振幅とを検出する。ここで、雑音成分は、集音マイク１１からの信号とＤ／Ａ変換回路３からの音声信号との差分をとることで検出することができる。
【００２１】
なお、雑音検出回路１２による雑音成分の検出帯域は、少なくとも人間の可聴帯域である２０〜２０ｋＨｚ程度であればよいが、この範囲に限定されなくてもよい。
【００２２】
記憶手段としてのメモリ１３には、雑音検出回路１２によって検出された雑音成分の信号が記憶される。逆位相発生手段としての逆位相発生回路１４は、メモリ１３に記憶された雑音成分の信号に対し逆位相の信号を発生する。
【００２３】
混合手段としての混合器１５は、逆位相発生回路１４からの逆位相の信号とＤ／Ａ変換回路３からの音声信号とを混合する。雑音レベル表示駆動回路１６は、雑音レベル表示器１７に対し、メモリ１３に記憶された雑音成分の信号の振幅に応じたレベル表示を行わせる。
【００２４】
雑音レベル表示器１７は、雑音レベル表示駆動回路１６からの信号に応じて雑音レベルを表示する。ここで、雑音レベル表示器１７は、たとえば図２に示すように、複数の発光ダイオード１７ａを並列させ、雑音レベルの大きさに応じて個々の発光ダイオード１７ａを点灯させる構成とすることができる。
【００２５】
ここで、周囲の騒音である、たとえばクーラーの音、雨の音、子供の声、工事中の音、車の音、飛行機の爆音等の騒音は比較的周期性を持たないため、雑音レベル表示器１７による雑音レベルの表示の変動が比較的小さなものとなる。
【００２６】
これに対し、たとえば電話及びインターホンの呼び出し音や非常ベル等の音は周期性を持つため、雑音レベル表示器１７による雑音レベルの表示がその周期性に合わせて変動することになる。これにより、騒音の種別を識別することができ、雑音レベル表示器１７による雑音レベルの表示から電話及びインターホンの呼び出し音や非常ベル等の音が鳴っていることを確認することができる。
【００２７】
制御部１８は、ユーザによるＣＤ（コンパクトディスク）６の再生指示があると、ＣＤ（コンパクトディスク）６の再生に関わる各部の動作と騒音低減装置１０による騒音低減に関わる各部の動作とを制御する。
【００２８】
次に、騒音低減装置１０による騒音低減方法について説明する。 
まず、図３に示すように、ユーザによるＣＤ（コンパクトディスク）６の再生指示が有ると（ステップＳ１）、制御部１８により、ＣＤ（コンパクトディスク）６の再生に関わる各部の動作と騒音低減装置１０による騒音低減に関わる各部の動作とが制御される。
【００２９】
このとき、集音マイク１１により、周囲の音が取り込まれ、その音が電気信号に変換される（ステップＳ２）。ここで、集音マイク１１からの信号は、たとえば図４に示すように、スピーカ５からの音声信号に雑音成分が重畳された波形（ａ）となる。
【００３０】
次いで、雑音検出回路１２により、集音マイク１１からの信号に含まれる雑音成分の位相と振幅とが検出される（ステップＳ３）。ここで、雑音成分は、集音マイク１１からの信号とＤ／Ａ変換回路３からの音声信号との差分をとることで検出される。また、その雑音成分は、たとえば図５に示すような波形（ｂ）となる。
【００３１】
雑音検出回路１２によって検出された雑音成分の信号は、メモリ１３に記憶される（ステップＳ４）。雑音成分の信号がメモリ１３に記憶されると、逆位相発生回路１４により、その記憶された雑音成分の信号に対し逆位相となる信号が生成されて混合器１５に出力される（ステップＳ５）。ここで、逆位相発生回路１４からの信号は、たとえば図６に示すような波形（ｃ）となる。
【００３２】
このとき、混合器１５により、逆位相発生回路１４からの逆位相の信号とＤ／Ａ変換回路３からの音声信号とが混合されて出力されると（ステップＳ６）、その音声信号がオーディオアンプ４により増幅され、スピーカ５から出力される（ステップＳ７）。ここで、混合器１５からの信号は、たとえば図７に示すように、音声信号から雑音成分が除去された波形（ｄ）となる。
【００３３】
これにより、ＣＤプレーヤによってたとえば音楽を聴いているとき、周囲の騒音である、たとえばクーラーの音、雨の音、子供の声、工事中の音、車の音、飛行機の爆音等が生じても、スピーカ５からは雑音成分が除去された音が出力されるので、音量を上げなくても比較的クリアな音を聴くことができる。
【００３４】
またこのとき、雑音レベル表示駆動回路１６により、雑音レベル表示器１７が駆動され、メモリ１３に記憶された雑音成分の信号である、図５の波形（ｂ）の振幅に応じたレベル表示が行われる（ステップＳ８）。
【００３５】
ここで、上述したクーラーの音、雨の音、子供の声、工事中の音、車の音、飛行機の爆音等が生じ、雑音検出回路１２によってそれらの雑音成分が検出されて雑音レベル表示器１７によって表示されるとき、これらの騒音は比較的周期性を持たないため、雑音レベル表示器１７による雑音レベルの表示の変動が比較的小さなものとなる。そのため、雑音レベル表示器１７による雑音レベルの表示から単に騒音が発生していると認識できる。
【００３６】
これに対し、たとえば電話及びインターホンの呼び出し音や非常ベル等の音が鳴ると、雑音検出回路１２によって検出される雑音成分は、たとえば図８に示すような周期的な波形（ｅ）となる。
【００３７】
そのため、雑音レベル表示器１７により、その音の変化が周期的に表示されるため、電話及びインターホンの呼び出し音や非常ベル等の音が鳴っていることを容易に確認することができる。
【００３８】
このように、本実施形態では、雑音検出回路１２により、集音マイク１１からの信号に含まれる雑音成分の位相と振幅とが、ＣＤプレーヤのＤ／Ａ変換回路３の音声信号との差分をとることで検出されると、その検出された雑音成分の信号がメモリ１３に記憶され、逆位相発生回路１４により、メモリ１３に記憶された雑音成分の信号に対し逆位相の信号が発生され、混合器１５により、逆位相発生回路１４からの逆位相の信号とＣＤプレーヤのＤ／Ａ変換回路３の音声信号とが混合されるようにしたので、ＣＤプレーヤのスピーカ５からの再生音に対する周囲の騒音による影響を低減することができる。
【００３９】
その際、雑音レベル表示器１７により、メモリ１３に記憶されている雑音成分の信号の振幅に応じた雑音レベルが表示されるようにしたので、たとえばクーラーの音、雨の音、子供の声、工事中の音、車の音、飛行機の爆音等のように、比較的周期性を持たない騒音と、たとえば電話及びインターホンの呼び出し音や非常ベル等の音のように周期性を持つ騒音との種別を識別することができ、たとえば電話及びインターホンの呼び出し音や非常ベル等の音が鳴った場合でもそれに気づくことができる。
【００４０】
なお、本実施形態では、混合器１５により、逆位相発生回路１４からの逆位相の信号とＤ／Ａ変換回路３からの音声信号とを混合した音声信号をオーディオアンプ４により増幅してスピーカ５から出力させるようにした場合について説明したが、混合器１５を用いずに、逆位相発生回路１４からの逆位相の信号を増幅して雑音低減用の専用スピーカが出力させるようにしてもよい。
【００４１】
この場合、たとえば図９に示すように、騒音低減装置１０Ａを、集音マイク１１、雑音検出回路１２、メモリ１３、逆位相発生回路１４、オーディオアンプ４ａ、雑音レベル表示駆動回路１６、雑音レベル表示器１７、制御部１８、雑音低減用スピーカ１９によって構成する。ここで、オーディオアンプ４ａ及び雑音低減用スピーカ１９により、出力手段が構成される。
【００４２】
そして、上記同様に、雑音検出回路１２によって検出された雑音成分の信号がメモリ１３に記憶された後、逆位相発生回路１４からの逆位相の信号をオーディオアンプ４ａにより増幅し、雑音低減用スピーカ１９から出力されるようにする。
【００４３】
これにより、ＣＤプレーヤによってたとえば音楽を聴いているとき、周囲の騒音である、たとえばクーラーの音、雨の音、子供の声、工事中の音、車の音、飛行機の爆音等が生じても、スピーカ５から音声信号と雑音低減用スピーカ１９からの逆位相の信号とがユーザの視聴位置の周囲で重畳され、結果として雑音成分が除去された音がユーザに伝搬されるため、上記同様に、音量を上げなくても比較的クリアを音を聴くことができ、さらには電話及びインターホンの呼び出し音や非常ベル等の音が鳴った場合でもそれに気づくことができる。
【００４４】
また、図９の騒音低減装置１０Ａにあっては、ＣＤプレーヤに組み込むことをせずに、単体としてＣＤプレーヤの近傍に配置するようにしてもよい。その場合、ＣＤプレーヤのＤ／Ａ変換回路３からの音声信号を騒音低減装置１０Ａに取り込むようにすればよい。
【００４５】
またこのように、騒音低減装置１０Ａを単体とすることで、他の再生機器との接続が可能となるため、いずれの再生機器であっても騒音に邪魔されずにクリアを音を聴くことができ、さらには電話及びインターホンの呼び出し音や非常ベル等の音が鳴った場合でもそれに気づくことができる。
【００４６】
また、本実施形態では、図３において、混合器１５により、逆位相発生回路１４からの逆位相の信号とＤ／Ａ変換回路３からの音声信号とが混合されて出力され（ステップＳ６）、その音声信号がオーディオアンプ４により増幅され、スピーカ５から出力（ステップＳ７）された後、雑音レベル表示駆動回路１６により、雑音レベル表示器１７が駆動され、メモリ１３に記憶された雑音成分の信号の振幅に応じたレベル表示（ステップＳ８）が行われるようにした場合について説明したが、この例に限らず、雑音成分の信号の振幅に応じたレベル表示（ステップＳ８）が行われた後、混合器１５により、逆位相発生回路１４からの逆位相の信号とＤ／Ａ変換回路３からの音声信号とが混合されて出力され（ステップＳ６）、その音声信号がオーディオアンプ４により増幅され、スピーカ５から出力（ステップＳ７）されるようにしてもよい。
【００４７】
また、本実施形態では、ユーザによるＣＤ（コンパクトディスク）６の再生指示が有ると、制御部１８により、騒音低減装置１０による騒音低減に関わる各部の動作が制御される場合について説明したが、これに限らず、ＣＤプレーヤの電源が投入されたときに、制御部１８により、騒音低減装置１０による騒音低減に関わる各部の動作が制御されるようにしてもよい。
【００４８】
この場合、ＣＤ（コンパクトディスク）６の再生が行われていなくても、雑音レベル表示器１７により雑音レベルの大きさに応じた表示が行われるため、周囲の騒音の確認と、騒音低減装置１０が正常に動作していることの確認とを行うことができる。
【００４９】
また、本実施形態では、雑音レベル表示器１７を、複数の発光ダイオード１７ａを並列させ、雑音レベルの大きさに応じて個々の発光ダイオード１７ａを点灯させる構成とした場合について説明したが、これに限らず、個々の発光ダイオード１７ａに対応する部分を液晶表示によって行われる構成としてもよい。
【００５０】
また、雑音レベル表示器１７を、雑音レベルの大きさに応じた数字が表示されるデジタルメータとしてもよいし、雑音レベルの大きさに応じて指針が振れるアナログメータとしてもよい。
【００５１】
また、雑音レベル表示器１７を、液晶ディスプレイとし、雑音レベルの大きさに応じた文字や絵が表示される構成としてもよい。 
【００５２】
さらには、雑音レベル表示器１７を、ランプとし、上述したクーラーの音、雨の音、子供の声、工事中の音、車の音、飛行機の爆音等のように、比較的周期性を持たない騒音の場合はランプを点灯させるようにし、電話及びインターホンの呼び出し音や非常ベル等のように周期性を持つような音の場合には雑音レベルの大きさに応じてランプを点滅させるようにしてもよい。
【００５３】
また、上述した集音マイク１１、スピーカ５、雑音低減用スピーカ１９は、ワイヤレスであってもよいことは勿論である。 
【産業上の利用可能性】
【００５４】
ＣＤプレーヤに限らず、テレビジョン装置やＤＶＤプレーヤ等の他のオーディオ／ビデオ再生機器にも適用可能である。 
【図面の簡単な説明】
【００５５】
【図１】本発明の騒音低減装置をＣＤプレーヤに適用した場合の一実施形態を示すブロック図である。
【図２】図１の雑音レベル指示器の一例を示す図である。
【図３】図１の騒音低減装置における騒音低減方法を説明するためのフローチャートである。
【図４】図１の騒音低減装置における騒音低減方法を説明するための波形図である。
【図５】図１の騒音低減装置における騒音低減方法を説明するための波形図である。
【図６】図１の騒音低減装置における騒音低減方法を説明するための波形図である。
【図７】図１の騒音低減装置における騒音低減方法を説明するための波形図である。
【図８】図１の騒音低減装置における騒音低減方法を説明するための波形図である。
【図９】図１の騒音低減装置の構成を変えた場合の他の実施形態を示すブロック図である。
【符号の説明】
【００５６】
３  Ｄ／Ａ変換回路 
４  オーディオアンプ 
４ａ  オーディオアンプ 
５  スピーカ 
１０  騒音低減装置 
１０Ａ  騒音低減装置 
１１  集音マイク 
１２  雑音検出回路 
１３  メモリ 
１４  逆位相発生回路 
１５  混合器 
１６  雑音レベル表示駆動回路 
１７  雑音レベル表示器 
１８  制御部 
１９  雑音低減用スピーカ 
【図１】
2006215232.tif 000003
【図２】
2006215232.tif 000004
【図３】
2006215232.tif 000005
【図４】
2006215232.tif 000006
【図５】
2006215232.tif 000007
【図６】
2006215232.tif 000008
【図７】
2006215232.tif 000009
【図８】
2006215232.tif 000010
【図９】
2006215232.tif 000011